(57)【要約】      （修正有）【課題】ハウス内において園芸作物を栽培するときに、用水、農薬などの供給を人為的に行うことなく自動的に供給することができて人件費などを節減することはもとより、ハウス内の室内温度及び湿度維持などを流体噴射手段により自動的に調節可能な低圧噴霧装置を提供する。【解決手段】流体タンク１０に貯留された流体が吸入口に沿って移動され、吸入口１１０を介して流れる流体が外部に吐出される吐出口が配備された流体供給管１００と、流体供給管の下縁部に一緒に配設され、圧縮機３０の作動により発生する空気圧が供給口２１０に沿って移動され、空気圧が外部に排出される排出口が配備された空気圧管２００と、流体供給管の吐出口を通過した流体を外部に伝達する流体移送ノズルと、前記流体移送ノズルと排出口に連設され、空気圧により流体を大気中に噴射する流体噴射手段４００と、を備えてなる低圧噴霧装置。【選択図】図１
2010155236.tif 000002
【特許請求の範囲】
【請求項１】
流体タンクに貯留された流体が吸入口に沿って移動され、前記吸入口を介して流れる流体が外部に吐出される吐出口が配備された流体供給管と、
前記流体供給管の下縁部に一緒に配設され、圧縮機（コンプレッシャ）の作動により発生する空気圧が供給口に沿って移動され、空気圧が外部に排出される排出口が配備された空気圧管と、
前記流体供給管の吐出口を通過した流体を外部に伝達する流体移送ノズルと、
前記流体移送ノズルと排出口に連設され、空気圧により流体を大気中に噴射する流体噴射手段と、
を備えてなる、低圧噴霧装置。
【請求項２】
前記流体噴射手段は、
前記空気圧管の排出口に連通する空気流入口と、
前記空気流入口の下面に延びながら一方側に形成される第１開放口と、
前記第１開放口と対応する他方側に形成された第２開放口と、
からなる胴体部と、
前記第１開放口の前面に配備され、前記流体移送ノズルから供給される流体を吸収する流体吸収口と、
前記流体吸収口の背面に配備されて流体に含まれている異物を１次的にろ過する第１フィルターと、
前記第１フィルターにおいて除去された流体を２次的にろ過する第２フィルターと、
が配備されたフィルター部と、
前記フィルター部において除去された流体の流量を調節する流体流入調節口と、
前記フィルター部と流体流入調節口の外縁部を取り囲み、流体及び空気圧を混合する空気混合ノズルと、
前記空気混合ノズルの他方側の周縁部に配備され、流体の噴射量を調節する第１噴射ノズルと、
前記第１噴射ノズルの他方側に配備されて流体を大気中に排出する第２噴射ノズルと、が配備された噴射ノズル部と、
を備えてなることを特徴とする、請求項１に記載の低圧噴霧装置。
【請求項３】
前記空気混合ノズルは、前記空気圧管から供給される空気圧にて噴射ノズル部を通過する流体を大気中に噴射することを特徴とする、請求項１または２に記載の低圧噴霧装置。
【発明の詳細な説明】
【技術分野】
【０００１】
本発明は低圧噴霧装置に係り、さらに詳しくは、ハウス内において園芸作物を栽培するときに、用水、農薬などの供給を人為的に行うことなく自動的に供給することができて人件費などを節減することはもとより、ハウス内の室内温度及び湿度維持などを流体噴射手段により自動的に調節可能な低圧噴霧装置に関する。
【背景技術】
【０００２】
一般的に、ビニールハウスなどにおいて作物を栽培するときに、作物などに用水や農薬、液肥、灌水など（以下、「用水」と称する。）を散布する目的で作物の栽培面積当たりの適正位置にスプリンクラーを設けて使用することになるが、従来の場合、スプリンクラーを用いて用水などを供給するときに下記の如き数多くの問題点を抱えていて、この是正が至急を要するものであった。
【０００３】
その一例としては、例えば、下記の特許文献１に記載のものがある。
【０００４】
下記の特許文献１に記載の農業用スプリンクラー専用チェック弁は、図４に示すように、農業用スプリンクラー専用チェック弁１を構成するに当たって、両端に雌ネジ部３及び雄ネジ部３’を有する管体２を形成して、通常のスプリンクラー１１及び供給管１２をそれぞれ連結するようにし、前記管体２の内部には遮蔽板４を形成して逆止手段を構成するが、前記逆止手段は遮蔽板４の上に開閉孔５を穿孔し、開閉孔５には開閉板６が着脱されるようにし、前記開閉板６には軸棒７を取設してバネ８を弾設し、この先端には固定板９を結合し、前記軸棒７の上にはろ過板１０を結合してなることを特徴とする。
【０００５】
この特許文献１に記載の農業用スプリンクラー専用チェック弁は、供給管１２の用水供給圧は開閉板６を進行方向に押して開閉板６が開閉孔５から離脱されて開閉孔５を開放させるが、このとき、開閉板６は、軸棒７上のバネ８により適正な弾性をもって開閉孔５から離脱されて開放状態が維持されて用水を供給することになる。
【０００６】
すなわち、下記の特許文献１に記載のものは、用水を供給するためにはバネ８などの弾性手段が配備される必要があり、バネ８はその弾性力が低下すると故障の原因となるため、頻繁な故障により整備・補修を行うことを余儀なくされるという問題点があった。
【０００７】
また、他の例として、下記の特許文献２に記載の果樹用スプリンクラーヘッドがある。
【０００８】
下記の特許文献２は、図５に示すように、水道管１０の上端に取り付けられるスプリンクラーヘッド本体１において側方に噴射管１ａを形成し、ヘッド上端中心軸１ｂを回転軸として回転棒２が装備され、本体１との間にバネ４を取り付けて水圧により回動噴射されるようになっているものにおいて、噴射管１ａの先端側に螺挿されたノズル６の噴射口６ａを下向きに切り欠いて切欠部６ｂの下端を傾設し、本体１の下端連結管５に被覆される締付ネジ７の一方側にネジ溝７ａを凹設し、ネジ溝７ａにブレーキ板８を嵌入して外側に固定ネジ９を外嵌してブレーキ板８の摩擦の度合いを調整できるようにし、回転棒２に方向案内板３を装備してなることを特徴とする。
【０００９】
しかしながら、この下記の特許文献２に記載の果樹用スプリンクラーヘッドも、バネを必要とし、バネの弾性力が低下する場合に故障が頻繁に起こるといった不都合があった。
【００１０】
すなわち、従来の農業用水を農作物に噴射するスプリンクラーは、農業用水の水圧により圧着されるバネなどの弾性手段が配備されることにより、長時間使用される場合に弾性手段の弾性係数の低下により誤動作が発生して寿命が低下することはもちろん、弾性手段が誤動作する場合に分解・組立を余儀なくされるものの、分解・組立を行うことが困難であるため、誰でも容易にスプリンクラーを補修することができないなどの多数の問題点があった。
【先行技術文献】
【特許文献】
【００１１】
【特許文献１】大韓民国実用新案登録第０１２０１６２号公報
【特許文献２】大韓民国実用新案登録第１９９５−４２９５号公報
【特許文献３】大韓民国登録特許第１０−０５１９９４０号公報（２００５年１０月１０日スプリンクラー）
【発明の概要】
【発明が解決しようとする課題】
【００１２】
本発明は上記事情に鑑みてなされたものであり、その目的は、ハウス内において園芸作物を栽培するときに、用水、農薬などの供給を人為的に行うことなく自動的に供給することができて人件費などを節減することはもとより、ハウス内の室内温度及び湿度維持などを流体噴射手段により自動的に調節可能な低圧噴霧装置を提供するところにある。
【００１３】
本発明の他の目的は、流体供給管、空気圧管、流体移送ノズル及び流体噴射手段を備える低圧噴霧装置であることから、ハウス内において生長する園芸作物が成長できるように室内温度及び湿度を調節することができ、用水及び農薬などを供給可能な低圧噴霧装置を提供するところにある。
【００１４】
本発明のさらに他の目的は、胴体部、流体吸収口、フィルター部、空気混合ノズル、流体流入調節口及び噴射ノズル部を備える流体噴射手段がさらに配備されることにより、流体噴射手段の各構成要素によりハウス内において生長中の園芸作物などに用水や農薬などを自動的に供給することにより作業者の人件費を節減することができ、しかも、時間の効率性を高めることのできる低圧噴霧装置を提供するところにある。
【００１５】
本発明のさらに他の目的は、流体噴射手段に空気混合ノズルがさらに配備されることにより、空気圧管から供給された空気圧により噴射ノズル部を通過する流体を園芸作物に噴射する低圧噴霧装置を提供するところにある。
【００１６】
本発明のさらに他の目的は、流体噴射手段に供給された流体を５０Ｋｐａ〜２５０Ｋｐａの低圧空気にて大気中に噴射する低圧噴霧装置を提供するところにある。
【課題を解決するための手段】
【００１７】
上記の諸目的を達成するために、本発明は、流体タンクに貯留された流体が吸入口に沿って移動され、前記吸入口を介して流れる流体が外部に吐出される吐出口が配備された流体供給管と、前記流体供給管の下縁部に一緒に配設され、圧縮機（コンプレッシャ）の作動により発生する空気圧が供給口に沿って移動され、空気圧が外部に排出される排出口が配備された空気圧管と、前記流体供給管の吐出口を通過した流体を外部に伝達する流体移送ノズルと、前記流体移送ノズルと排出口に連設され、空気圧により流体を大気中に噴射する流体噴射手段と、を備えてなる低圧噴霧装置を提供する。
【００１８】
また、この低圧噴霧装置において、前記流体噴射手段は、前記空気圧管の排出口に連通する空気流入口と、前記空気流入口の下面に延びながら一方側に形成される第１開放口と、前記第１開放口と対応する他方側に形成された第２開放口と、からなる胴体部と、前記第１開放口の前面に配備され、前記流体移送ノズルから供給される流体を吸収する流体吸収口と、前記流体吸収口の背面に配備されて流体に含まれている異物を１次的にろ過する第１フィルターと、前記第１フィルターにおいて除去された流体を２次的にろ過する第２フィルターと、が配備されたフィルター部と、前記フィルター部において除去された流体の流量を調節する流体流入調節口と、前記フィルター部と流体流入調節口の外縁部を取り囲み、流体及び空気圧を混合する空気混合ノズルと、前記空気混合ノズルの他方側の周縁部に配備され、流体の噴射量を調節する第１噴射ノズルと、前記第１噴射ノズルの他方側に配備されて流体を大気中に排出する第２噴射ノズルと、が配備された噴射ノズル部と、を備えてなる。
【００１９】
さらに、この低圧噴霧装置において、前記空気混合ノズルは、前記空気圧管から供給される空気圧にて噴射ノズル部を通過する流体を大気中に噴射する。
【発明の効果】
【００２０】
以上説明したように本発明によれば、下記の如き効果が奏される。
【００２１】
第一に、ハウス内において園芸作物を栽培するときに、用水、農薬などの供給を人為的に行うことなく自動的に供給することができて人件費などを節減することはもとより、ハウス内の室内温度及び湿度維持などを流体噴射手段により自動的に調節可能な低圧噴霧装置を提供することができる。
【００２２】
第二に、流体供給管、空気圧管、流体移送ノズル及び流体噴射手段を備える低圧噴霧装置であることから、ハウス内において生長する園芸作物が成長できるように室内温度及び湿度を調節することができ、用水及び農薬などを供給可能な低圧噴霧装置を提供することができる。
【００２３】
第三に、胴体部、流体吸収口、フィルター部、空気混合ノズル、流体流入調節口及び噴射ノズル部を備える流体噴射手段がさらに配備されることにより、流体噴射手段の各構成要素によりハウス内において生長中の園芸作物などに用水や農薬などを自動的に供給することにより作業者の人件費を節減することができ、しかも、時間の効率性を高められる低圧噴霧装置を提供することができる。
【００２４】
第四に、流体噴射手段に空気混合ノズルがさらに配備されることにより、空気圧管から供給された空気圧により噴射ノズル部を通過する流体を園芸作物に噴射する低圧噴霧装置を提供することができる。
【００２５】
第五に、流体噴射手段に供給された流体を５０Ｋｐａ〜２５０Ｋｐａの低圧空気にて大気中に噴射する低圧噴霧装置を提供することができる。
【図面の簡単な説明】
【００２６】
【図１】本発明の実施形態に係る低圧噴霧装置が設置・使用されている一例を示す図である。
【図２】本発明の実施形態に係る低圧噴霧装置の斜視図である。
【図３】本発明の実施形態に係る低圧噴霧装置の断面図である。
【図４】従来の農業用スプリンクラー専用チェック弁を示す図である。
【図５】従来の果樹用スプリンクラーヘッドを示す図である。
【発明を実施するための形態】
【００２７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２８】
以下、図１から図３に基づき、本発明の実施形態に係る低圧噴霧装置を詳述する。
【００２９】
図１は、本発明による低圧噴霧装置が設置・使用されている一例を示す図であり、図２は、本発明による低圧噴霧装置の斜視図であり、図３は、本発明による低圧噴霧装置の断面図である。
【００３０】
図１から図３を参照すると、本実施形態に係る低圧噴霧装置は、流体タンク１０に貯留された流体が吸入口１１０に沿って移動され、前記吸入口１１０を介して流れる流体が外部に吐出される吐出口１２０が配備された流体供給管１００と、前記流体供給管１００の下縁部に一緒に配設され、圧縮機（コンプレッシャ）３０の作動により発生される空気圧が供給口２１０に沿って移動され、空気圧が外部に排出される排出口２２０が配備された空気圧管２００と、前記流体供給管１００の吐出口１２０を通過した流体を外部に伝達する流体移送ノズル３００と、前記流体移送ノズル３００と排出口２２０に連設され、空気圧により流体を大気中に噴射する流体噴射手段４００と、を備えてなる。
【００３１】
前記流体供給管１００は、流体タンク１０に貯留された流体（用水や農薬など）が駆動モーターＭの作動により吸入口１１０に供給され、前記吸入口１１０に供給された流体が流れながらハウス（図示せず）内の室内温度及び湿度を維持するために吐出口１２０に連結された流体移送ノズル３００を介して流体噴射手段４００の流体吸収口４２０に流体を供給する役割を果たす。
【００３２】
前記空気圧管２００は、流体供給管１００の下縁部に一緒に配設され、園芸作物が栽培されるハウス内の室内温度及び湿度を一定に維持するために圧縮機（コンプレッシャ）３０に印加される電源により作動しながら発生する空気圧が供給口２１０に沿って移動しながら排出口２２０を通過した空気圧が流体噴射手段４００の空気流入口４１１に供給されるようにする。
【００３３】
前記流体移送ノズル３００は、流体供給管１００に配備された吐出口１２０の一方側が連結され、前記一方側と対応する他方側が流体噴射手段４００の流体吸収口４２０に連結されるように配備される。すなわち、前記流体移送ノズル３００がさらに配備されることにより、流体移送ノズル３００が吐出口１２０から排出される流体を流体吸収口４２０に移動されるようにする。
【００３４】
前記流体噴射手段４００は、流体移送ノズル３００と排出口２２０に連設されるものであり、流体供給管１００から供給される流体は流体吸収口４２０に吸入され、排出口２２０を介して排出される空気圧は空気流入口４１１に流入した後、ハウス内の室内温度及び湿度が下がる場合に流体噴射手段４００の各構成要素を通過した流体を空気圧（低圧５０Ｋｐａ〜２５０Ｋｐａ）の圧力にて押して大気中に噴射する役割を果たす。
【００３５】
図１から図３を参照すると、本実施形態に係る低圧噴霧装置の構成要素のうち、前記流体噴射手段４００は、前記空気圧管２００の排出口２２０に連結される空気流入口４１１と、前記空気流入口４１１の下面に延びながら一方側に形成される第１開放口４１２及び前記第１開放口４１２と対応する他方側に形成された第２開放口４１３からなる胴体部４１０と、前記第１開放口４１２の前面に配備され、前記流体移送ノズル３００から供給される流体を吸収する流体吸収口４２０と、前記流体吸収口４２０の背面に配備されて流体に含まれている異物を１次的にろ過する第１フィルター４８１及び前記第１フィルター４８１において除去された流体を２次的にろ過する第２フィルター４８２が配備されたフィルター部４３０と、前記フィルター部４３０において除去された流体の流量を調節する流体流入調節口４４０と、前記フィルター部４３０と流体流入調節口４４０の外縁部を取り囲み、流体及び空気圧を混合する空気混合ノズル４３０と、前記空気混合ノズル４３０の他方の周縁部に配備され、流体の噴射量を調節する第１噴射ノズル４６１及び前記第１噴射ノズル４６１の他方側に配備されて流体を大気中に排出する第２噴射ノズル４６２が配備された噴射ノズル部４６０と、を備えてなる。
【００３６】
前記胴体部４１０は「⊥」状に形成されるものであって、空気圧管２００の排出口２２０の周縁部に空気流入口４１１が嵌着され、前記空気流入口４１１の下面に延びながら一方側の第１開放口４１２には流体吸収口４２０、フィルター部４３０及び流体流入調節口４４０が配設され、前記第１開放口４１２と対応する第２開放口４１３には空気混合ノズル４３０と噴射ノズル部４６０が配備される。
【００３７】
すなわち、胴体部４１０の空気流入口４１１に空気圧が供給され、前記第１開放口４１２に配備される流体吸収口４２０に流体供給管１００から供給される流体が供給され、前記第２開放口４１３の空気混合ノズル４３０と噴射ノズル部４６０を通過した流体が空気圧により大気中に噴射されてハウス内の室内温度及び湿度維持を一定に維持できるようにする。
【００３８】
前記流体吸収口４２０は胴体部４１０の第１開放口４１２の前面に配備されるものであって、流体供給管１００に流れる流体が吐出口１２０に排出され、排出された流体は流体移送ノズル３００に沿って流体吸収口４２０に吸入される。なお、吸引された流体をフィルター部４３０に供給する役割をも果たす。
【００３９】
前記フィルター部４３０は流体吸収口４２０の背面に配備されるものであって、流体吸収口４２０を通過した流体が１次的に第１フィルター４８１を経由しながら異物などが除去され、前記第１フィルター４８１を経由した異物に含まれている微細な塵埃などは第２フィルター４８２を経由しながら除去される。
【００４０】
前記流体流入調節口４４０はフィルター部４３０の背面に配備されるものであり、フィルター部４３０を通過しつつろ過された流体の流量を一定に調節する役割を果たす。
【００４１】
前記空気混合ノズル４３０はフィルター部４３０と流体流入調節口４４０の外縁部を取り囲むように配備され、前記流体流入調節口４４０を通過した流体と空気流入口４１１に吸収された空気圧を混合する役割を果たす。
【００４２】
前記噴射ノズル部４６０は、空気混合ノズル４３０の他方側の周縁部に第１噴射ノズル４６１が配備され、第１噴射ノズル４６１の他方側に第２噴射ノズル４６２が配備されるものであって、第１噴射ノズル４６１により流体の噴射量を調節した後、空気圧（低圧）により第２噴射ノズル４６２を通過して流体が大気中に噴射される。
【００４３】
また、前記噴射ノズル部４６０に供給された低圧空気を用いて流体（用水や農薬など）が大気中に噴射されるため、水滴が形成されない結果、噴射された水滴の粒子が微細であり、これにより、直接園芸作物に当たっても結露現象がないというメリットがある。
【００４４】
このため、前記流体噴射手段４００は、胴体部４１０、流体吸収口４２０、フィルター部４３０、空気混合ノズル４３０、流体流入調節口４４０及び噴射ノズル部４６０を備えるものであって、流体噴射手段４００の各構成要素によりハウス内において生長中の園芸作物などに用水や農薬などを自動的に供給することにより作業者の人件費を節減することができ、しかも、時間の効率性を高めることができ、さらには、ハウス内の室内温度及び湿度を維持することができるというメリットがある。
【００４５】
図１から図３を参照すると、本実施形態に係る流体噴射手段の構成要素のうち、前記空気混合ノズル４３０は、前記空気圧管２００から供給される空気圧にて噴射ノズル部４６０を通過する流体を大気中に噴射することを特徴とする。
【００４６】
すなわち、流体噴射手段４００に空気混合ノズル４３０がさらに配備されることにより、空気圧管２００から供給された空気圧（低圧５０Ｋｐａ〜２５０Ｋｐａ）により噴射ノズル部４６０を通過する流体を大気中に噴射して園芸作物の用水及び農薬供給、ハウス内の室内温度及び湿度などを維持することができるというメリットがある。
【００４７】
以下、上記の如き構成を有する本実施形態に係る低圧噴霧装置の組立て過程及び噴射過程を簡略に説明する。
【００４８】
図１から図３に基づき、本実施形態に係る低圧噴霧装置の組立て過程を簡略に説明すると、先ず、前記空気混合ノズル４３０の内縁部に流体流入調節口４４０を嵌着した後、前記流体流入調節口４４０の一方側にフィルター部４３０の構成要素である第２フィルター４８２と第１フィルター４８１を固定する。
【００４９】
そして、前記第２フィルター４８２の一方側に流体吸収口４２０を固定し、このようにして組み立てられたものを胴体部４１０の第１開放口４１２に嵌め込んだ後、第１キャップ５００により固定する。
【００５０】
その後、前記第１開放口４１２と対応する第２開放口４１３の部分に固定された空気混合ノズル４３０の他方側に噴射ノズル部４６０の構成要素である第１噴射ノズル４６１と第２噴射ノズル４６２を固定した状態で第２キャップ６００を固定する。
【００５１】
次に、前記胴体部４１０の空気流入口４１１に第３キャップ６００を固定した後、前記空気流入口４１１を空気圧管２００の排出口２２０の内縁部に嵌着する。
【００５２】
そして、前記流体供給管１００の吐出口１２０に流体移送ノズル３００の一方側を嵌着し、他方側は流体吸収口４２０に固定すると、組立てが完了する。
【００５３】
図１から図３に基づき、本実施形態に係る低圧噴霧装置の噴射過程を簡略に説明すると、このようにして組立てが完了した状態でハウス内の室内温度及び湿度が下がる場合に流体タンク１０に連結された駆動モータＭの作動により流体供給管１００に流体を供給する。
【００５４】
そして、流体供給管１００に流れる流体（用水や農薬）が吐出口１２０に連結された流体移送ノズル３００に沿って流体吸収口４２０に供給される。
【００５５】
次に、前記流体吸収口４２０に供給された流体がフィルター部４３０の構成要素である第１フィルター４８１と第２フィルター４８２を経て微細な異物を除去した後、除去された流体は流体流入調節口４４０に供給される。
【００５６】
その後、前記流体流入調節口４４０に供給された流体が空気混合ノズル４３０に供給され、圧縮機（コンプレッシャ）３０の作動により供給された空気圧は空気圧管２００に供給される。
【００５７】
そして、前記空気圧管２００の排出口２２０を介して空気圧（低圧）が空気混合ノズル４３０に供給されて流体と空気圧が混合される。
【００５８】
その後、空気圧（低圧５０Ｋｐａ〜２５０Ｋｐａ）により流体が空気混合ノズル４３０の他方側に配備された第１噴射ノズル４６１と第２噴射ノズル４６２を介して大気中に噴射されると、ハウス内の室内温度及び湿度が一定に維持されて園芸作物が快適な環境下で生長可能になる。
【００５９】
このため、本実施形態に係る低圧噴霧装置は、ハウス内において園芸作物を栽培するときに、用水、農薬などの供給を人為的に行うことなく自動的に供給することができて人件費などを節減することはもとより、ハウス内の室内温度及び湿度維持などを流体噴射手段４００により自動的に調節することができるというメリットがある。
【００６０】
このような構成を有する本実施形態に係る低圧噴霧装置は、ハウス内の温度を低下させる個所にのみ使用するものではなく、湿度維持などにも使用される。そして、農業全般にその使用先が多いが、一箇所に限定されない。
【００６１】
また、前記低圧噴霧装置が適用される例を挙げると、畜舎の湿度維持、キノコ栽培室の湿度維持、温室の温度下降及び湿度維持、農薬の散布、液肥の散布など種々の用途に適用することが可能である。
【００６２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６３】
１０    流体タンク
３０    圧縮機（コンプレッシャ）
１００    流体供給管
１１０    吸入口
１２０    吐出口
２００    空気圧管
２１０    供給口
２２０    排出口
３００    流体移送ノズル
４００    流体噴射手段
４１０    胴体部
４１１    空気流入口
４１２    第１開放口
４１３    第２開放口
４２０    流体吸収口
４３０    フィルター部
４３１    第１フィルター
４３２    第２フィルター
４４０    流体流入調節口
４５０    空気混合ノズル
４６０    噴射ノズル部
４６１    第１噴射ノズル
４６２    第２噴射ノズル
５００    第１キャップ
６００    第２キャップ
７００    第３キャップ
【図１】
2010155236.tif 000003
【図２】
2010155236.tif 000004
【図３】
2010155236.tif 000005
【図４】
2010155236.tif 000006
【図５】
2010155236.tif 000007